(57)【要約】【課題】液体吸収剤を用いて空気を調湿する調湿装置を小型化すること。【解決手段】調湿装置（1）は、液体吸収剤と空気との間で水分を授受する給気側モジュール（20）および排気側モジュール（21）を有し、排気側モジュール（21）の液体吸収剤中の水分を空気へ放湿すると共に、空気中の水分を給気側モジュール（20）の液体吸収剤に吸湿させる調湿モジュール（28）と、熱歪材料によって形成された熱源素子（32）とアクチュエータ（39）とを有して調湿モジュール（28）の液体吸収剤を加熱又は冷却する温調モジュール（30）とを備えている。【選択図】図１
2014119237.tif 000002
【特許請求の範囲】
【請求項１】
液体吸収剤と空気との間で水分を授受する２つの調湿部（20,21,85,86）を有し、一方の調湿部（20,21,85,86）の液体吸収剤中の水分を空気へ放湿すると共に、空気中の水分を他方の調湿部（20,21,85,86）の液体吸収剤に吸湿させる調湿モジュール（28）と、
引張力を印加することで発熱し該引張力を解除することで吸熱する熱歪材料によって形成された熱源素子（32）と該熱源素子（32）へ引張力を付与するアクチュエータ（39）とを有して上記調湿モジュール（28）の液体吸収剤を加熱又は冷却する温調モジュール（30,83,84）とを備えている
ことを特徴とする調湿装置。
【請求項２】
請求項１において、
上記温調モジュール（30,83,84）は、上記熱源素子（32）の熱歪材料で形成された複数のフィン（38）を搬送させる駆動部材（33,45,50）を備える一方、上記駆動部材（33,45,50）によってフィン（38）を搬送させながら上記調湿モジュール（28）の液体吸収剤内で上記熱歪材料への引張力の付与と解除を切り換えるように構成されている
ことを特徴とする調湿装置。
【請求項３】
請求項１において、
上記温調モジュール（30,83,84）は、ワイヤ状又はプレート状に形成される上記熱源素子（32）の熱歪材料の一端に設けられる可動部材（91a,91b,100）を備える一方、上記可動部材（91a,91b,100）の位置を切り換えることで上記熱歪材料への引張力の付与と解除とを切り換えるように構成されている
ことを特徴とする調湿装置。
【請求項４】
請求項３において、
上記調湿モジュール（28）は、上記液体吸収剤は透過させずに水蒸気を透過させる透湿膜（26）によって一部または全部が構成され、空気が流れる空気通路（P）と液体吸収剤が流れる吸収剤通路（27）を仕切る仕切り部材（14）を備え、
上記温調モジュール（30,83,84）は、上記熱歪材料が上記吸収剤通路（27）内に設置されて周囲を流れる上記液体吸収剤を加熱又は冷却するよう構成されている
ことを特徴とする調湿装置。
【請求項５】
請求項３又は４において、
上記調湿モジュール（28）は、一方の調湿部（20,21,85,86）において液体吸収剤中の水分を空気へ放湿する一方、他方の調湿部（20,21,85,86）において空気中の水分を液体吸収剤に吸湿させる第１動作と、他方の調湿部（20,21,85,86）において液体吸収剤中の水分を空気へ放湿する一方、一方の調湿部（20,21,85,86）において空気中の水分を液体吸収剤に吸湿させる第２動作とが切り換えて行われる
ことを特徴とする調湿装置。
【発明の詳細な説明】
【技術分野】
【０００１】
本発明は、液体吸収剤を用いて空気を調湿する調湿装置に関するものである。
【背景技術】
【０００２】
従来より、液体吸収剤を用いて水分を調湿する調湿装置が知られており、特許文献１には、この種の調湿装置が開示されている（例えば同文献の図８を参照）。
【０００３】
この調湿装置は、給気側モジュールと排気側モジュールとを有して液体吸収剤が循環する循環流路と、冷媒が循環して蒸気圧縮式の冷凍サイクルを行う冷媒回路とを有している。
【０００４】
給気側モジュールと排気側モジュールは、液体吸収剤の流路と空気流路とを区画する透湿膜をそれぞれ備えている。給気側モジュールの透湿膜は、室内側へ空気を供給するための給気通路に面し、排気側モジュールの透湿膜は、室外へ空気を排出するための排気通路に面している。冷媒回路は、圧縮機、凝縮器、膨張弁、及び蒸発器が接続された閉回路である。
【０００５】
この調湿装置の運転時には、凝縮器で加熱された液体吸収剤が、排気側モジュールへ送られる。排気側モジュールでは、液体吸収剤中の水分が空気（排気）へ放出され、液体吸収剤の濃度が徐々に高くなっていく。排気側モジュールを通過した液体吸収剤は、蒸発器で冷却された後、給気側モジュールへ送られる。給気側モジュールでは、空気（給気）中の水分が液体吸収剤へ吸収され、液体吸収剤の濃度が徐々に低くなっていく。給気側モジュールを通過した液体吸収剤は、再び凝縮器で加熱されて排気側モジュールへ送られる。また、給気側モジュールで除湿された空気は室内へ供給される。
【０００６】
以上のように、この調湿装置では、冷媒回路によって液体吸収剤を加熱又は冷却しながら各モジュールで放湿動作又は吸湿動作を行うことで、空気と液体吸収剤との間での水蒸気分圧の差を確保して空気の調湿を行っている。
【先行技術文献】
【特許文献】
【０００７】
【特許文献１】特開平５−１４６６２７号公報
【発明の概要】
【発明が解決しようとする課題】
【０００８】
しかしながら、特許文献１に開示された調湿装置では、冷媒回路によって液体吸収剤を冷却又は加熱している。冷媒回路は、圧縮機、凝縮器、膨張弁、及び蒸発器が接続されて構成されるため、構成部材が多くなり、この結果、調湿装置が大型化してしまうという問題があった。
【０００９】
本発明は、斯かる点に鑑みてなされたものであり、液体吸収剤を用いて空気を調湿する調湿装置を小型化することを目的とする。
【課題を解決するための手段】
【００１０】
第１の発明は、液体吸収剤と空気との間で水分を授受する２つの調湿部（20,21,85,86）を有し、一方の調湿部（20,21,85,86）の液体吸収剤中の水分を空気へ放湿すると共に、空気中の水分を他方の調湿部（20,21,85,86）の液体吸収剤に吸湿させる調湿モジュール（28）と、引張力を印加することで発熱し該引張力を解除することで吸熱する熱歪材料によって形成された熱源素子（32）と該熱源素子（32）へ引張力を付与するアクチュエータ（39）とを有して上記調湿モジュール（28）の液体吸収剤を加熱又は冷却する温調モジュール（30,83,84）とを備えている。
【００１１】
上記第１の発明では、アクチュエータ（39）が熱歪材料に引張力を付与すると、そのエントロピーが減少し、その分、熱歪材料が発熱する。このとき、熱歪材料は、放湿側の調湿部（20,21,85,86）の液体吸収剤を加熱する。また、熱歪材料への引張力の付与を解除すると、マルテンサイト相から母相（オーステナイト相）に変化し、該熱歪材料が断熱されていた場合、熱歪材料の温度が下がる。このとき、熱歪材料は、吸湿側の調湿部（20,21,85,86）の液体吸収剤を冷却する。
【００１２】
第２の発明は、上記第１の発明において、上記温調モジュール（30,83,84）は、上記熱源素子（32）の熱歪材料で形成された複数のフィン（38）を搬送させる駆動部材（33,45,50）を備える一方、上記駆動部材（33,45,50）によってフィン（38）を搬送させながら上記調湿モジュール（28）の液体吸収剤内で上記熱歪材料への引張力の付与と解除を切り換えるように構成されている。
【００１３】
上記第２の発明では、熱歪材料で形成した複数のフィン（38）を用い、このフィン（38）を駆動部材（33,45,50）で搬送し、液体吸収剤の内部で熱歪材料への引張力の付与と解除とを切り換える。
【００１４】
第３の発明は、上記第１の発明において、上記温調モジュール（30,83,84）は、ワイヤ状又はプレート状に形成される上記熱源素子（32）の熱歪材料の一端に設けられる可動部材（91a,91b,100）を備える一方、上記可動部材（91a,91b,100）の位置を切り換えることで上記熱歪材料への引張力の付与と解除とを切り換えるように構成されている。
【００１５】
上記第３の発明では、ワイヤ状またはプレート状の熱歪材料の一端に設けられた可動部材（91a,91b,100）の位置を切り換えることにより、熱歪材料への引張力の付与と解除とを切り換える。
【００１６】
第４の発明は、上記第３の発明において、上記調湿モジュール（28）は、上記液体吸収剤は透過させずに水蒸気を透過させる透湿膜（26）によって一部または全部が構成され、空気が流れる空気通路（P）と液体吸収剤が流れる吸収剤通路（27）を仕切る仕切り部材（14）を備え、上記温調モジュール（30,83,84）は、上記熱歪材料が上記吸収剤通路（27）内に設置されて周囲を流れる上記液体吸収剤を加熱又は冷却するよう構成されている。
【００１７】
上記第４の発明では、空気通路（P）と吸収剤通路（27）が仕切り部材（14）によって仕切られる。仕切り部材（14）の一部または全部は、透湿膜（26）によって構成される。また、この温調モジュール（30,83,84）では、熱源素子（32）である熱歪材料が、吸収剤通路（27）に設置される。熱歪材料は、吸収剤通路（27）の液体吸収剤を加熱又は冷却する。
【００１８】
第５の発明は、上記第３又は第４の発明において、上記調湿モジュール（28）は、一方の調湿部（20,21,85,86）において液体吸収剤中の水分を空気へ放湿する一方、他方の調湿部（20,21,85,86）において空気中の水分を液体吸収剤に吸湿させる第１動作と、他方の調湿部（20,21,85,86）において液体吸収剤中の水分を空気へ放湿する一方、一方の調湿部（20,21,85,86）において空気中の水分を液体吸収剤に吸湿させる第２動作とが切り換えて行われる。
【００１９】
上記第５の発明では、第１動作において、一方の調湿部（20,21,85,86）の液体吸収剤中の水分を空気へ放湿し、空気中の水分を他方の調湿部（20,21,85,86）の液体吸収剤に吸湿する。第２動作において、他方の調湿部（20,21,85,86）の液体吸収剤中の水分を空気へ放湿し、空気中の水分を一方の調湿部（20,21,85,86）の液体吸収剤に吸湿する。
【発明の効果】
【００２０】
上記第１の発明によれば、液体吸収剤を加熱又は冷却する温調モジュール（30,83,84）を熱歪材料によって構成したため、例えば冷媒回路などで温調モジュールを構成するよりも、温調モジュール（30,83,84）を簡易化且つ小型化することができる。これにより、液体吸収剤を用いて空気を調湿する調湿装置を小型化することができる。
【００２１】
上記第２の発明によれば、熱歪材料で形成したフィン（38）を搬送しながら液体吸収剤の内部で引張力の付与と解除とを切り換えるようにしたため、液体吸収剤を連続的に加熱又は冷却をすることができる。
【００２２】
上記第３の発明によれば、可動部材（91a,91b,100）の位置を切り換えるようにしたため、熱歪材料への引張力の付与と解除とを切り換えることができる。
【００２３】
上記第４の発明によれば、吸収剤通路（27）に熱歪材料が配置されて液体吸収剤に囲まれるため、熱歪材料の熱は、ほぼ全てが吸収剤通路（27）の液体吸収剤に付与される。また、熱歪材料が吸収する熱は、ほぼ全てが吸収剤通路（27）の液体吸収剤から吸収した熱となる。従って、第４の発明によれば、熱歪材料の温熱を無駄なく液体吸収剤の加熱に利用でき、熱歪材料の冷熱を無駄なく液体吸収剤の冷却に利用できる。
【００２４】
上記第５の発明によれば、第１動作と第２動作とを切り換えて行うようにしたため、放湿動作又は吸湿動作を連続して行うことができる。
【図面の簡単な説明】
【００２５】
【図１】図１は、実施形態１に係る調湿装置を示す概略構成図である。
【図２】図２は、実施形態１に係る調湿モジュールを示す概略斜視図である。
【図３】図３は、実施形態１に係る温調モジュールの構造を示す概略図である。
【図４】図４は、実施形態１に係る温調モジュールの一部を拡大して示す図であって、（Ａ）は、上側液体通路内を示し、（Ｂ）は下側液体通路内を示す概略図である。
【図５】図５は、熱歪材料におけるＴ−Ｓ線図を示すものである。
【図６】図６は、実施形態１の変形例１に係る温調モジュールの構造を示す概略図である。
【図７】図７は、実施形態１の変形例２に係る温調モジュールの構造を示す概略図である。
【図８】図８は、実施形態１の変形例３に係る温調モジュールの構造を示す概略図である。
【図９】図９は、実施形態１の変形例４に係る温調モジュールの構造を示す斜視図である。
【図１０】図１０は、実施形態１の変形例４に係る温調モジュールの構造を示す概略の断面図である。
【図１１】図１１は、実施形態１の変形例４に係る温調モジュールの構造を示す平面図である。
【図１２】図１２は、実施形態１の変形例５に係る温調モジュールの構造を示す斜視図である。
【図１３】図１３は、実施形態１の変形例５に係る温調モジュールの構造を示す概略の断面図である。
【図１４】図１４は、実施形態１の変形例５に係る温調モジュールの構造を示す平面図である。
【図１５】図１５は、実施形態２に係る調湿装置を室内に設置した状態を示す概略図であり、図１５（Ａ）は第１除湿動作状態、図１５（Ｂ）は第２除湿動作状態を示している。
【図１６】図１６は、実施形態２に係る調湿装置を室内に設置した状態を示す概略図であり、図１６（Ａ）は第１加湿動作状態、図１６（Ｂ）は第２加湿動作状態を示している。
【図１７】図１７は、実施形態２に係る調湿装置を示す概略構成図である。
【図１８】図１８は、実施形態２に係る第１又は第２ユニットを示す概略断面図である。
【図１９】図１９は、実施形態２に係る第１又は第２ユニットを示す概略斜視図である。
【図２０】図２０は、実施形態２に係る膜管を拡大した図である。
【図２１】図２１は、実施形態２に係る膜管を拡大した図である。
【図２２】図２２は、実施形態２に係る温調モジュールを示す概略の斜視図である。
【図２３】図２３は、実施形態２に係るカムの形状例を示す図である。
【図２４】図２４は、実施形態２に係るカムの形状例を示す図である。
【図２５】図２５は、実施形態２に係るカムの形状例を示す図である。
【図２６】図２６は、実施形態２の変形例１に係る温調モジュールの構造を示す斜視図である。
【図２７】図２７は、実施形態２の変形例２に係る温調モジュールの構造を示す斜視図である。
【図２８】図２８は、実施形態２の変形例３に係る温調モジュールの構造を示す斜視図である。
【図２９】図２９は、実施形態２の変形例４に係る温調モジュールの構造を示す斜視図である。
【図３０】図３０は、実施形態２の変形例５に係る温調モジュールの構造を示す斜視図である。
【図３１】図３１は、実施形態２の変形例６に係る温調モジュールの構造を示す斜視図である。
【図３２】図３２は、実施形態２の変形例７に係る温調モジュールの構造を示す斜視図である。
【図３３】図３３は、実施形態２の変形例８に係る温調モジュールの構造を示す斜視図である。
【図３４】図３４は、実施形態２の変形例９に係る温調モジュールの構造を示す斜視図である。
【図３５】図３５は、実施形態３に係る第１又は第２ユニットを示す概略斜視図である。
【図３６】図３６は、実施形態３に係る第１又は第２ユニットを側面から視た図である。
【図３７】図３７は、実施形態３に係る膜ユニットを示す斜視図である。
【図３８】図３８は、実施形態３に係る膜ユニットを上方から視た図である。
【発明を実施するための形態】
【００２６】
以下、本発明の実施形態を図面に基づいて詳細に説明する。
【００２７】
〈発明の実施形態１〉
本発明の実施形態１について説明する。図１に示すように、本実施形態１に係る調湿装置（1）は、吸収剤回路（10）と、温調モジュール（30）とを備えている。調湿装置（1）は、室内の換気を行いながら除湿又は加湿するものである。また、調湿装置（1）は、室外空気を室内へ供給する給気通路（2）と、室内空気を室外へ排出する排気通路（3）とを有する。給気通路（2）には、給気側モジュール（20）が設置され、排気通路（3）には、排気側モジュール（21）が設置される。
【００２８】
上記吸収剤回路（10）は、ポンプ（11）、温調モジュール（30）、給気側モジュール（20）および排気側モジュール（21）が液管（12）によって接続され、液体吸収剤が循環するよう構成されている。液体吸収剤としては、例えば塩化リチウム水溶液が用いられる。給気側モジュール（20）及び排気側モジュール（21）は、液体吸収剤の水分を透湿膜（26）を介して空気中へ放出する放湿部、又は空気中の水分を透湿膜（26）を介して液体吸収剤中へ吸収する吸湿部を構成する。
【００２９】
上記給気側モジュール（20）及び排気側モジュール（21）は、調湿モジュール（28）を構成している。図２に示すように、各モジュール（20,21）は、第１ヘッダ部（22）と第２ヘッダ部（23）と、両者のヘッダ部（22,23）の間に介設される複数の調湿配管（24）とを有する。第１ヘッダ部（22）と第２ヘッダ部（23）とには、吸収剤回路（10）と繋がる吸収液管（22a,22b）がそれぞれ接続している。第１ヘッダ部（22）と第２ヘッダ部（23）との間には、調湿配管（24）の周囲を通過する空気通路（P）が形成される。尚、給気側モジュール（20）および排気側モジュール（21）は、本発明に係る調湿部を構成している。
【００３０】
調湿配管（24）は、その外周面が透湿膜（26）で構成され、その内部に液体吸収剤が流れる吸収剤通路（27）を形成している。透湿膜（26）は、液体吸収剤を通過させずに水蒸気を透過させる膜である。透湿膜（26）としては、例えばＰＴＦＥ（ポリテトラフルオロエチレン、四ふっ化エチレン樹脂）等のふっ素樹脂から成る疎水性多孔膜を用いることができる。調湿配管（24）では、空気通路（P）を流れる空気と、吸収剤通路（27）を流れる液体吸収剤との間で水分の授受が行われる。
【００３１】
図３および図４に示すように、温調モジュール（30）は、吸収剤回路（10）の液体吸収剤を加熱又は冷却させるためのものである。上記温調モジュール（30）は、１つのケーシング（31）を有し、該ケーシング（31）内に熱源素子（32）と、ベルト搬送装置（33）とが収容されている。
【００３２】
上記ケーシング（31）は、長方形の箱体に形成され、内部に吸収剤通路（41,42）が形成されている。ケーシング（31）の内部は、図３における手前から奥側に向かって液体吸収剤が流れるように構成されている。ケーシング（31）の内部は、上下仕切板（40）によって上下に仕切られ、上側吸収剤通路（41）と下側吸収剤通路（42）が形成されている。そして、上下仕切板（40）には、ベルト搬送装置（33）を配置するための開口が形成されている。
【００３３】
上記熱源素子（32）は、引張力を印加することで発熱し該引張力を解除することで吸熱する材料（以下、熱歪材料と呼ぶ。）によって構成されている。熱歪材料には、一例として、チタン（Ｔｉ）／ニッケル（Ｎｉ）系の合金（例えば形状記憶合金）や、エラストマ樹脂を挙げることができる。
【００３４】
図５に示すように、例えば、チタン（Ｔｉ）／ニッケル（Ｎｉ）系の合金では、引張力をかけると、母相（オーステナイト相）からマルテンサイト相へと相変化する。このとき、熱歪材料が断熱されていると、エントロピーが減少して分子運動エネルギーが増加する。つまり、熱歪材料の温度が上がる。熱歪材料に引張力をかけたまま、該熱歪材料を加熱対象物に接触させると、熱歪材料の熱が加熱対象物に伝わる。こうすることで、熱歪材料の温度は下がる。そして、熱歪材料にかけられている引張力を除去（解除）すると、マルテンサイト相から母相（オーステナイト相）へと相変化する。このとき、熱歪材料が断熱されていると、エントロピーを大きくするために分子運動からエネルギーを奪う。つまり、熱歪材料の温度が下がる。温度が下がった熱歪材料に冷却対象物を接触させると、該冷却対象物の熱が熱歪材料に伝わる。
【００３５】
上記ベルト搬送装置（33）は、ケーシング（31）内に熱歪材料で形成された複数のフィン（38）を搬送させる駆動部材（アクチュエータ）であって、吸収剤通路（41,42）内で熱歪材料への引張力の付与と解除を切り換えるものである。ベルト搬送装置（33）は、ガイドレール（37）と、ベルト（35）と、２つのホイール（34,34）とを備えている。尚、ベルト搬送装置（33）は、本発明に係る駆動装置を構成している。
【００３６】
上記ホイール（34,34）は、略円筒状に形成された回転体である。ホイール（34,34）は、ベルト（35）を搬送可能となるように構成されている。ホイール（34,34）は、ケーシング（31）内の左右に２つ並んで配置され、互いに反時計回りに回転するように構成されている。
【００３７】
上記ベルト（35）は、シート状の部材に形成され、外周ベルト（35a）と内周ベルト（35b）とで構成されている。
【００３８】
上記内周ベルト（35b）は、上記２つのホイール（34,34）に対して接触して取り付けられ、内側を移動するものである。つまり、一対のホイール（34,34）が反時計回りに回転することで、内周ベルト（35b）は、ケーシング（31）内の上側吸収剤通路（41）内を通過する際は、左方向へ搬送され、下側吸収剤通路（42）を通過する際は、右方向へ搬送される。内周ベルト（35b）は、幅方向の両端部に、熱歪材料の形成部分よりも外側に突き出た突出部（36）が形成されている。この突出部（36）は、後述する内周レール（37b）との摺動する部分になる。
【００３９】
上記外周ベルト（35a）は、熱歪材料を介して内周ベルト（35b）に取り付けられ、外側を移動するものである。すなわち、外周ベルト（35a）と熱歪材料と内周ベルト（35b）とは、一体となって搬送されるものである。外周ベルト（35a）は、幅方向の両端部に、熱歪材料の形成部分よりも外側に突き出た突出部（36）が形成されている。この突出部（36）は、後述する外周レール（37a）との摺動する部分になる。
【００４０】
図４に示すように、上記ガイドレール（37）は、外周ベルト（35a）および内周ベルト（35b）をガイドするものである。ガイドレール（37）は、外周レール（37a）と内周レール（37b）とで構成されている。
【００４１】
上記外周レール（37a）は、上記外周ベルト（35a）の幅方向の両端に設けられるレール部材である。外周レール（37a）は、外側に凹む凹部に外周ベルト（35a）の側端部を引っ掛けることで、該外周ベルト（35a）を案内するように構成されている。
【００４２】
上記内周レール（37b）は、上記内周ベルト（35b）の幅方向の両端に設けられるレール部材である。内周レール（37b）は、外側に凹む凹部に内周ベルト（35b）の側端部を引っ掛けることで、該内周ベルト（35b）を案内するように構成されている。
【００４３】
外周レール（37a）と内周レール（37b）との間の距離は、ケーシング（31）の上方と下方とで異なっている。具体的には、外周レール（37a）と内周レール（37b）との間の距離は、ケーシング（31）の上方（上側吸収剤通路（41））では、拡がる一方、ケーシング（31）の下方（下側吸収剤通路（42））では、狭くなっている。
【００４４】
各フィン（38）は、ケーシング（31）の幅方向（図３の奥行き方向）に延びる板状に形成されている。各フィン（38）は、一端が外周ベルト（35a）に取り付けられ、他端が内周ベルト（35b）に取り付けられている。
【００４５】
ホイール（34,34）を同時に回転させると、外周ベルト（35a）、内周ベルト（35b）およびフィン（38）が搬送される。そして、ケーシング（31）の上側吸収剤通路（41）を搬送される際、外周ベルト（35a）と内周ベルト（35b）との間の距離が拡がることで、フィン（38）を構成する熱歪材料が上方向に引っ張られる。
【００４６】
一方、ケーシング（31）の下側吸収剤通路（42）を搬送される際、外周ベルト（35a）と内周ベルト（35b）との距離が縮まることで、フィン（38）を構成する熱歪材料への引張力が解除される。つまり、ケーシング（31）内において、上側吸収剤通路（41）は、液体吸収剤を加熱する領域（すなわち、排気側モジュール（21）の液体吸収剤の上流側）に形成され、下側吸収剤通路（42）は、液体吸収剤を冷却する領域（すなわち、給気側モジュール（20）の液体吸収剤の上流側）に形成されている。
【００４７】
上述したように、ケーシング（31）の内部は、上側吸収剤通路（41）および下側吸収剤通路（42）となっている。従って、熱源素子（32）は、吸収剤通路（41,42）に配置され、その表面が吸収剤通路（41,42）を流れる液体吸収剤と接触する。つまり、熱源素子（32）の熱歪材料は、吸収剤通路（41,42）を流れる液体吸収剤に囲まれている。
【００４８】
−調湿装置の運転動作−
実施形態１に係る調湿装置（1）は、室内を除湿する運転（除湿運転）を実行する。
【００４９】
〈除湿運転〉
除湿運転時の調湿装置（1）では、温調モジュール（30）のホイール（34,34）を同時に回転させると、上側吸収剤通路（41）内の熱歪材料が引っ張られる。この熱歪材料は、その周囲の吸収剤通路（41）を流れる液体吸収剤へ放熱する。一方、ケーシング（31）の下側吸収剤通路（42）を搬送される際、外周ベルト（35a）と内周ベルト（35b）との距離が縮まることで、フィン（38）を構成する熱歪材料への引張力が解除される。この熱歪材料は、その周囲の吸収剤通路（41）を流れる液体吸収剤から吸熱する。
【００５０】
調湿装置（1）では、ポンプ（11）が運転されて液体吸収剤が循環する。ポンプ（11）を流出した液体吸収剤は、上側吸収剤通路（41）を流れて熱歪材料から吸熱し、加熱される。そして、温調モジュール（30）で加熱された液体吸収剤は、排気側モジュール（21）の調湿配管（24）を流れる（図３を参照）。排気側モジュール（21）では、液体吸収剤中の水分が、室内から吸い込まれて排気通路（3）を流れ、空気通路（P）を流れる空気に放出される。以上のようにして高濃度となった液体吸収剤は、ポンプ（11）に搬送されて温調モジュール（30）の下側吸収剤通路（42）を流れる。
【００５１】
一方、下側吸収剤通路（42）を流れる液体吸収剤は、熱歪材料へ放熱し、冷却される。そして、温調モジュール（30）で冷却された液体吸収剤は、給気側モジュール（20）の調湿配管（24）を流れる（図３を参照）。給気側モジュール（20）では、室外から吸い込まれて給気通路（2）を流れ、空気通路（P）を流れる空気中の水分が、調湿配管（24）の透湿膜（26）を介して液体吸収剤へ吸収される。液体吸収剤へ水分を付与して除湿された空気は、給気通路（2）を介して室内へ供給される。液体吸収剤は、給気側モジュール（20）の調湿配管（24）で吸湿して低濃度となる。
【００５２】
−実施形態１の効果−
上記実施形態１によれば、液体吸収剤を加熱又は冷却する温調モジュール（30）を熱歪材料によって構成したため、例えば冷媒回路などで温調モジュールを構成するよりも、温調モジュール（30）を簡易化且つ小型化することができる。これにより、液体吸収剤を用いて空気を調湿する調湿装置（1）を小型化することができる。
【００５３】
また、熱歪材料で形成したフィン（38）を搬送して液体吸収剤の内部で引張力の付与と解除とを切り換えるようにしたため、液体吸収剤を連続的に加熱又は冷却をすることができる。
【００５４】
−実施形態１の変形例−
（変形例１）
次に、実施形態１の変形例１について説明する。本変形例１は、図６に示すように、上記実施形態１とは、ベルト搬送装置（33）の構成が異なっている。
【００５５】
具体的には、本変形例１に係るベルト搬送装置（33）は、外周レール（37a）と、内周レール（37b）との間の距離を、ケーシング（31）の左右で異なるように構成したものである。その他の構成、作用・効果は実施形態１と同様である。
【００５６】
（変形例２）
次に、実施形態１の変形例２について説明する。本変形例２は、図７に示すように、上記実施形態１とは、駆動部材（アクチュエータ）の構成が異なっている。
【００５７】
具体的に、本変形例２では、ベルト搬送装置（33）の代わりに、ロータ装置（45）を設けたものである。上記ロータ装置（45）は、外周体（47）と、偏心軸（46）とを備えている。尚、ロータ装置（45）は、本発明に係る駆動装置を構成している。
【００５８】
上記偏心軸（46）は、その軸方向が、ケーシング（31）の奥行き方向に亘って延びる回転軸である。偏心軸（46）は、後述する外周体（47）の内部であって、ケーシング（31）内の上下仕切板（40）とほぼ同じ高さ位置に配置されている。偏心軸（46）の外周には、周方向に多数のフィン（38）が取り付けられ、放射状に延びている。また、偏心軸（46）は、図示しないモータに接続され、該モータによって回転可能に構成されている。
【００５９】
上記外周体（47）は、ロータ装置（45）の外周部分を形成する部材である。外周体（47）は、略円筒形状に形成され、ケーシング（31）内において回転可能に配置されている。このとき、外周体（47）は、図示しないガイドレールに沿って定位置で回転するように構成されている。外周体（47）の内周面には、フィン（38）の外周端が取り付けられている。
【００６０】
偏心軸（46）が回転すると、フィン（38）および外周体（47）が一体に回転する。外周体（47）に対して偏心軸（46）が偏心しているため、ケーシング（31）の上側吸収剤通路（41）を通過する際に、熱歪材料が引っ張られる一方、下側吸収剤通路（42）を通過する際に、熱歪材料への引張力が解除される。つまり、ケーシング（31）の上側吸収剤通路（41）は、液体吸収剤を加熱する領域に形成され、ケーシング（31）の下側吸収剤通路（42）は、液体吸収剤を冷却する領域に形成されている。その他の構成、作用・効果は実施形態１と同様である。
【００６１】
（変形例３）
次に、実施形態１の変形例３について説明する。本変形例３は、図８に示すように、上記変形例３とは、ロータ装置（45）の構成が異なっている。
【００６２】
具体的に、本変形例３に係るロータ装置（45）では、フィン（38）をハニカム構造に構成したものである。その他の構成、作用・効果は上記変形例２と同様である。
【００６３】
（変形例４）
次に、実施形態１の変形例４について説明する。本変形例４は、図９〜図１１に示すように、上記実施形態１とは、駆動部材（アクチュエータ）の構成が異なっている。
【００６４】
具体的に、本変形例４では、ベルト搬送装置（33）の代わりに、回転装置（50）を設けたものである。尚、回転装置（50）は、本発明に係る駆動装置を構成している。
【００６５】
本変形例４に係るケーシング（51）は、仕切板（52）によって内部が左右に仕切られ、右側が第１吸収剤通路（53）に形成され、左側が第２吸収剤通路（54）に形成されている。そして、ケーシング（51）内に、回転装置（50）が設けられている。
【００６６】
上記回転装置（50）は、回転軸（55）と、該回転軸（55）に取り付けられる第１回転板（56）と、回転軸（55）の一端に取り付けられる連結部（59）と、該連結部（59）を介して回転軸（55）に取り付けられる傾斜軸（57）と、傾斜軸（57）に取り付けられる第２回転板（58）とを備えている。そして、第１回転板（56）と第２回転板（58）との間に、熱歪材料からなるワイヤ状のフィン（38）が取り付けられている。また、仕切板（52）には、フィン（38）の通過位置にスリットが形成されている。本変形例４では、回転装置（50）の側方（すなわち、図１０における第１回転板（56）と第２回転板（58）との間の奥行き方向）に液体吸収剤が流れるように構成されている。
【００６７】
上記傾斜軸（57）は、回転軸（55）に対して所定の角度だけ傾斜して取り付けられている。そして、回転軸（55）は、図示しないモータに接続されて回転可能に構成されている。このため、回転軸（55）が回転すると、該回転軸（55）と共に傾斜軸（57）も回転する。したがって、第１回転板（56）と第２回転板（58）との傾斜分だけ両者の距離が離れることとなる。このため、フィン（38）が第１吸収剤通路（53）を通過する際には、第１回転板（56）と第２回転板（58）との距離が離れるため、フィン（38）を形成する熱歪材料に引張力が付与される。一方、フィン（38）が第２吸収剤通路（54）を通過する際には、第１回転板（56）と第２回転板（58）との距離が近づくため、フィン（38）を形成する熱歪材料の引張力が解除される。その他の構成、作用・効果は実施形態１と同様である。
【００６８】
（変形例５）
次に、実施形態１の変形例５について説明する。本変形例５は、図１２〜図１４に示すように、上記変形例４とは、回転装置（50）の構成が異なっている。
【００６９】
具体的に、本変形例５に係る回転装置（50）は、第１回転板（56）と第２回転板（58）に厚み方向に貫通する孔（60）が形成されている。そして、第１回転板（56）と第２回転板（58）との間において、回転軸（55）および傾斜軸（57）から放射状に延びると共に、シート状の熱歪材料からなるフィン（38）が形成されている。
【００７０】
すなわち、本変形例５では、回転装置（50）の上下方向（すなわち、図１３における第１回転板（56）と第２回転板（58）との間の上下方向）に液体吸収剤が流れるように構成されている。
【００７１】
尚、本変形例５では、仕切板（52）と、同位置にフィン（38）を配置することで、ケーシング（51）内を左右に仕切っている。その他の構成、作用・効果は実施形態１の変形例４と同様である。
【００７２】
〈発明の実施形態２〉
次に、本発明の実施形態２について説明する。本実施形態２では、建物（4）の室内（5）の加湿を行う調湿装置の例を説明する。図１５および図１６は、本実施形態に係る調湿装置（1）を建物（4）の室内（5）に設置した状態を示す概略図である。
【００７３】
上記調湿装置（1）は、ケーシング（70）、吸収剤回路（10）、第１および第２ユニット（81,82）、第１ファン（72）、および第２ファン（73）を備えている。尚、吸収剤回路（10）の図示は省略する。
【００７４】
図１５に示すように、ケーシング（70）は、直方体の箱状に形成されている。ケーシング（70）の内部は、上下に仕切られている。ケーシング（70）では、その一方の端面（図１５では左側の端面）に第１室内口（74）と第２室内口（75）とが上下に形成され、その他方の端面（図１５では右側の端面）に第１室外口（76）と第２室外口（77）とが上下に形成されている。ケーシング（70）の内部空間は、第１空気通路（78）と第２空気通路（79）に仕切られている。第１空気通路（78）は、第１室外口（76）及び第１室内口（74）に連通している。第１空気通路（78）には、第１ファン（72）と第１ユニット（81）とが配置されている。一方、第２空気通路（79）は、第２室内口（75）及び第２室外口（77）に連通している。第２空気通路（79）には、第２ファン（73）と第２ユニット（82）とが配置されている。
【００７５】
上記第１および第２ファン（72,73）は、各ユニット（81,82）に空気を流すものであり、回転方向が切り換えられるようになっている。
【００７６】
図１７に示すように、吸収剤回路（10）は、第１ユニット（81）と、第２ユニット（82）と、ポンプ（11）とが接続された閉回路である。この吸収剤回路（10）では、ポンプ（11）の吐出側が第２ユニット（82）の吸収剤通路（27）の入口に、第２ユニット（82）の吸収剤通路（27）の出口が第１ユニット（81）の吸収剤通路（27）の入口に、第１ユニット（81）の吸収剤通路（27）の出口がポンプ（11）の吸入側に、それぞれ接続されている。また、吸収剤回路（10）には、液体吸収剤として塩化リチウム水溶液が充填されている。
【００７７】
図１８〜図２１に示すように、上記第１ユニット（81）および第２ユニット（82）は、それぞれが温調モジュール（83,84）および調湿モジュール（85,86）を備えている。具体的には、第１ユニット（81）は、第１温調モジュール（83）および第１調湿モジュール（85）を備え、第２ユニット（82）は、第２温調モジュール（84）および第２調湿モジュール（86）を備えている。各ユニット（81,82）は、温調モジュール（83,84）と調湿モジュール（85,86）とがそれぞれ一体に形成されている。
【００７８】
上記第１および第２温調モジュール（83,84）は、図２２に示すように、左右に並べて配置され、それぞれが熱源素子（32）である熱歪材料と、アクチュエータ（39）と、切換制御部（87）とを備えている。
【００７９】
上記アクチュエータ（39）は、固定板（90）と第１および第２可動板（91a,91b）と第１および第２カム（95,96）と回転軸（99）とを備えている。
【００８０】
上記固定板（90）は、略長方形状の薄板に形成されている。固定板（90）の下面は、仕切板（92）によって左右の領域に仕切られ、右側の領域に第１温調モジュール（83）の熱歪材料の一端が取り付けられ、左側の領域に第２温調モジュール（84）の熱歪材料の一端が取り付けられている。また、図１８に示すように、固定板（90）の下面の右側の領域には、第１調湿モジュール（85）の上ヘッダ（112）が配置される一方、左側の領域には、第２調湿モジュール（86）の上ヘッダ（112）が配置されている。この熱源素子（32）の熱歪材料は、後述する円菅状に形成された透湿膜（26）に挿通され、熱歪材料と透湿膜（26）とで膜管（29）が形成されている。この膜管（29）では、透湿膜（26）の外側の空間が空気通路（P）となり、透湿膜（26）と熱歪材料との間の空間が吸収剤通路（27）となる。したがって、各温調モジュール（85,86）では、熱歪材料が吸収剤通路（27）の液体吸収剤に囲まれる。この空気通路（P）は、上記第１空気通路（78）又は第２空気通路（79）と連通している。
【００８１】
上記仕切板（92）は、第１および第２ユニット（81,82）の間を左右に仕切るものである。仕切板（92）は、略Ｔ字状に形成された部材である。仕切板（92）は、固定板（90）と直交方向の下方に延びる矩形の薄板に形成される本体部（93）と、固定板（90）と略平行に延びる矩形の薄板に形成されるフランジ部（94）とで形成されている。仕切板（92）は、本体部（93）の基端が固定板（90）に対して取り付けられ、フランジ部（94）は、熱歪材料の他端と略同じ高さ位置に配置されている。
【００８２】
上記第１および第２可動板（91a,91b）は、熱歪材料に引張力を付与するための部材であって、第１温調モジュール（83）および第２温調モジュール（84）に対応して設けられている。尚、第１および第２可動板（91a,91b）は、本発明に係る可動部材を構成している。第１可動板（91a）は、第１温調モジュール（83）の熱歪材料の他端に取り付けられ、固定板（90）と対向して配置されている。また、第１可動板（91a）の上面には第１調湿モジュール（85）の下ヘッダ（113）が配置されている。また、第２可動板（91b）は、第２温調モジュール（84）の熱歪材料の他端に取り付けられ、固定板（90）と対向して配置されている。第２可動板（91b）の上面には、第２調湿モジュール（86）の下ヘッダ（113）が配置されている。第１可動板（91a）および液体ケース（110）の下ヘッダ（113）と固定板（90）との間には、空気通路（P）が形成され、第２可動板（91b）および液体ケース（110）の下ヘッダ（113）と固定板（90）との間には、空気通路（P）が形成されている。
【００８３】
また、第１および第２可動板（91a,91b）は、略矩形状の薄板に形成されると共に、所定の重量を有している。このため、第１および第２可動板（91a,91b）は、その重みによって熱歪材料に荷重がかかることで、該熱歪材料に下方への引張力が付与される。したがって、第１および第２可動板（91a,91b）は、熱歪材料に対して引張力を付与可能な重さを有している。
【００８４】
上記第１および第２カム（95,96）は、第１および第２可動板（91a,91b）の幅方向（図２２の奥行き方向）に延びる略円筒形状に形成された部材である。第１カム（95）には、円形の外周部（97）と、半円部分が切り欠かれた小径部（98）とが形成されている。また、第１カム（95）には、回転軸（99）がその中心に挿通され、回転軸（99）の回転方向に回転可能となるように取り付けられている。第２カム（96）には、円形の外周部（97）と、半円部分が切り欠かれた小径部（98）とが形成されている。また、第２カム（96）には、回転軸（99）がその中心に挿通され、回転軸（99）の回転方向に回転可能となるように取り付けられている。回転軸（99）には、切換制御部（87）が接続され、切換制御部（87）によって、第１および第２カム（95,96）の回転位置が制御される。
【００８５】
そして、第１および第２カム（95,96）は、左右で互いに１８０°位相がずれるようになっている。すなわち、第１可動板（91a）に対して、第１カム（95）の外周部（97）が接触した場合、第２可動板（91b）に対して、第２カム（96）の小径部（98）が接触するように構成されている。こうすることで、第２温調モジュール（84）の熱歪材料に対して第２可動板（91b）の荷重がかかり、引張力が付与される。一方、第１温調モジュール（83）の熱歪材料は、第１可動板（91a）の荷重が第１カム（95）に支えられ、引張力が解除されている。
【００８６】
上記第１および第２調湿モジュール（85,86）は、図１８〜図２１に示すように、液体ケース（110）を備えている。尚、第１調湿モジュール（85）および第２調湿モジュール（86）は、本発明に係る調湿部を構成している。
【００８７】
上記液体ケース（110）は、上ヘッダ（112）と下ヘッダ（113）と多数の仕切り部材（14）を備えている。各ヘッダ（112,113）は、扁平な直方体状に形成され、内部に液体吸収剤が流れる吸収剤空間（114）が形成されている。上ヘッダ（112）は上端側に配置され、下ヘッダ（113）は下端側に配置されている。上記仕切り部材（14）は、中空の略円筒状に形成され、上ヘッダ（112）と下ヘッダ（113）との間に配置されている。
【００８８】
図１８〜図２１に示すように、各調湿モジュール（85,86）では、仕切り部材（14）は、少なくても周側面が透湿膜（26）によって構成されている。そして、この透湿膜（26）が熱歪材料を囲うように設けられ、透湿膜（26）と熱歪材料とは膜管（29）を構成している。したがって、熱歪材料は、透湿膜（26）の内側に形成された吸収剤通路（27）に配置され、吸収剤通路（27）を流れる液体吸収剤に囲われる。また、各ヘッダ（112,113）の吸収剤空間（114）は、透湿膜（26）と熱歪材料との間に形成された吸収剤通路（27）と連通する。各ヘッダ（112,113）の吸収剤空間（114）は、吸収剤回路（10）に接続される。下ヘッダ（113）の吸収剤空間（114）へ流入した液体吸収剤は、各膜管（29）の吸収剤通路（27）へ分かれて流入する。熱歪材料は、膜管（29）へ流入した液体吸収剤を加熱又は冷却する。
【００８９】
尚、各回転軸（99,99）には、それぞれにモータを取り付けて２つのカム（95,96）の位相が１８０°になるように制御してもよいし、１つのモータからギヤなどを介して連動するようにしてもよい。
【００９０】
また、カムの形状は、図２３に示すように、小径部（98）と外周部（97）との割合を異ならせるようにしてもよいし、図２４に示すように、単に回転軸（99）を偏心させて構成するようにしてもよいし、図２５に示すように、外周部（97）の曲率を異ならせ、且つ回転軸（99）を偏心させるようにしてもよい。
【００９１】
−調湿装置の運転動作−
調湿装置（1）の運転動作を説明する。調湿装置（1）は、室内への給気を除湿する除湿運転と、室内への給気を加湿する加湿運転とを選択的に実行する。
【００９２】
〈除湿運転〉
調湿装置（1）の除湿運転について、図１５（Ａ）を参照しながら説明する。図１５（Ａ）は、第１ユニット（81）で除湿動作を行う一方、第２ユニット（82）で加湿動作を行う第１除湿動作の状態を示している。尚、この第１除湿動作は、本発明に係る第１動作を構成している。図１５（Ａ）に係る除湿運転時は、各ファン（72,73）が回転し、切換制御部（87）によって第１可動板（91a）に第１カム（95）の外周部（97）が接触し、第２可動板（91b）に第２カム（96）の小径部（98）が接触する。こうすることで、第２温調モジュール（84）の熱歪材料に対して第２可動板（91b）の荷重がかかり、引張力が付与される。一方、第２温調モジュール（84）の熱歪材料は、第１可動板（91a）の荷重が第１カム（95）に支えられ、引張力が解除されている。
【００９３】
また、除湿運転時には、吸収剤回路（10）のポンプ（11）が運転され、吸収剤回路（10）内を液体吸収剤が循環する。ポンプ（11）から吐出された液体吸収剤は、第２ユニット（82）における第２調湿モジュール（86）の下ヘッダ（113）の吸収剤空間（114）へ流入する。そして、下ヘッダ（113）を流れる液体吸収剤は、各吸収剤通路（27）へ流入する。この吸収剤通路（27）へ流入した液体吸収剤は、熱歪材料によって加熱される。第２空気通路（79）では、排気（即ち、室外へ排出される室内空気）が流れている。第２調湿モジュール（86）では、液体吸収剤に含まれる水の一部が水蒸気となって透湿膜（26）を透過し、第２空気通路（79）を流れる排気に付与される。排気に付与された水蒸気は、排気と共に第２室外口（77）から室外へ排出される。このように、第２調湿モジュール（86）では、吸収剤通路（27）の液体吸収剤に含まれる水の一部が、透湿膜（26）を透過して排気に付与される。従って、第２調湿モジュール（86）では、吸収剤通路（27）を通過する間に液体吸収剤の濃度が次第に上昇してゆく。
【００９４】
第２調湿モジュール（86）の上ヘッダ（112）から流出した高濃度の液体吸収剤は、第１調湿モジュール（85）の下ヘッダ（113）の吸収剤空間（114）へ流入する。そして、下ヘッダ（113）を流れる液体吸収剤は、各吸収剤通路（27）へ流入する。この吸収剤通路（27）へ流入した液体吸収剤は、熱歪材料によって冷却される。第１調湿モジュール（85）の第１空気通路（78）では、給気（即ち、室内へ供給される室外空気）が流れている。第１調湿モジュール（85）では、給気に含まれる水蒸気が透湿膜（26）を透過し、吸収剤通路（27）を流れる液体吸収剤に吸収される。第１調湿モジュール（85）の第１空気通路（78）を通過する間に除湿された給気は、その後に第１室内口（74）から室内へ供給される。このように、第１調湿モジュール（85）では、第１空気通路（78）の給気に含まれる水蒸気の一部が、透湿膜（26）を透過して液体吸収剤に吸収される。従って、第１調湿モジュール（85）では、吸収剤通路（27）を通過する間に液体吸収剤の濃度が次第に低下してゆく。第１調湿モジュール（85）の上ヘッダ（112）から流出した低濃度の液体吸収剤は、ポンプ（11）へ吸い込まれ、第２調湿モジュール（86）へ向けて送り出される。
【００９５】
図１５（Ｂ）は、第２ユニット（82）で除湿動作を行う一方、第１ユニット（81）で加湿動作を行う第２除湿動作の状態を示している。尚、この第２除湿動作は、本発明に係る第２動作を構成している。図１５（Ｂ）に係る除湿運転では、各ファン（72,73）が逆回転し、切換制御部（87）によって第２可動板（91b）に第２カム（96）の外周部（97）が接触し、第１可動板（91a）に第１カム（95）の小径部（98）が接触する。こうすることで、第１温調モジュール（83）の熱歪材料に対して第１可動板（91a）の荷重がかかり、引張力が付与される。一方、第２温調モジュール（84）の熱歪材料は、第２可動板（91b）の荷重が第２カム（96）に支えられ、引張力が解除されている。
【００９６】
ポンプ（11）から吐出された液体吸収剤は、第２調湿モジュール（86）の下ヘッダ（113）の吸収剤空間（114）へ流入する。そして、下ヘッダ（113）を流れる液体吸収剤は、各吸収剤通路（27）へ流入する。この吸収剤通路（27）へ流入した液体吸収剤は、熱歪材料によって冷却される。第２空気通路（79）では、給気（即ち、室内へ供給される室外空気）が流れている。第２調湿モジュール（86）では、給気に含まれる水蒸気が透湿膜（26）を透過し、吸収剤通路（27）を流れる液体吸収剤に吸収される。水蒸気を奪われた給気は、その後に第２室内口（75）から室内へ供給される。このように、第２調湿モジュール（86）では、第２空気通路（79）の給気に含まれる水蒸気の一部が、透湿膜（26）を透過して液体吸収剤に吸収される。従って、第２調湿モジュール（86）では、吸収剤通路（27）を通過する間に液体吸収剤の濃度が次第に低下してゆく。
【００９７】
第２調湿モジュール（86）の上ヘッダ（112）から流出した低濃度の液体吸収剤は、第１調湿モジュール（85）の下ヘッダ（113）の吸収剤空間（114）へ流入する。そして、下ヘッダ（113）を流れる液体吸収剤は、各吸収剤通路（27）へ流入する。この吸収剤通路（27）へ流入した液体吸収剤は、熱歪材料によって加熱される。第１空気通路（78）では、排気（即ち、室外へ排出される室内空気）が流れている。第１調湿モジュール（85）では、液体吸収剤に含まれる水の一部が水蒸気となって透湿膜（26）を透過し、第１空気通路（78）を流れる排気に付与される。第１空気通路（78）を通過する間に加湿された排気は、その後に第１室外口（76）から室外へ排出される。このように、第１調湿モジュール（85）では、吸収剤通路（27）の液体吸収剤に含まれる水の一部が、透湿膜（26）を透過して排気に付与される。従って、第１調湿モジュール（85）では、吸収剤通路（27）を通過する間に液体吸収剤の濃度が次第に上昇してゆく。第１調湿モジュール（85）の上ヘッダ（112）から流出した高濃度の液体吸収剤は、ポンプ（11）へ吸い込まれ、第２調湿モジュール（86）へ向けて送り出される。
【００９８】
〈加湿運転〉
調湿装置（1）の加湿運転について、図１６（Ａ）を参照しながら説明する。図１６（Ａ）は、第１ユニット（81）で加湿運転を行う一方、第２ユニット（82）で除湿動作を行う第１加湿動作の状態を示している。尚、この第１加湿動作は、本発明に係る第１動作を構成している。各ファン（72,73）が回転し、切換制御部（87）によって第２可動板（91b）に第２カム（96）の外周部（97）が接触し、第１可動板（91a）に第１カム（95）の小径部（98）が接触する。こうすることで、第１温調モジュール（83）の熱歪材料に対して第１可動板（91a）の荷重がかかり、引張力が付与される。一方、第２温調モジュール（84）の熱歪材料は、第２可動板（91b）の荷重が第２カム（96）に支えられ、引張力が解除されている。
【００９９】
ポンプ（11）から吐出された液体吸収剤は、第２調湿モジュール（86）の下ヘッダ（113）の吸収剤空間（114）へ流入する。そして、下ヘッダ（113）を流れる液体吸収剤は、各吸収剤通路（27）へ流入する。この吸収剤通路（27）へ流入した液体吸収剤は、熱歪材料によって冷却される。第２空気通路（79）では、排気（即ち、室外へ排出される室内空気）が流れている。第２調湿モジュール（86）では、排気に含まれる水蒸気が透湿膜（26）を透過し、吸収剤通路（27）を流れる液体吸収剤に吸収される。水蒸気を奪われた排気は、その後に第２室外口（77）から室外へ排出される。このように、第２調湿モジュール（86）では、第２空気通路（79）の排気に含まれる水蒸気の一部が、透湿膜（26）を透過して液体吸収剤に吸収される。従って、第２調湿モジュール（86）では、吸収剤通路（27）を通過する間に液体吸収剤の濃度が次第に低下してゆく。
【０１００】
第２調湿モジュール（86）の上ヘッダ（112）から流出した低濃度の液体吸収剤は、第１調湿モジュール（85）の下ヘッダ（113）の吸収剤空間（114）へ流入する。そして、下ヘッダ（113）を流れる液体吸収剤は、各吸収剤通路（27）へ流入する。この吸収剤通路（27）へ流入した液体吸収剤は、熱歪材料によって加熱される。第１空気通路（78）では、給気（即ち、室内へ供給される室外空気）が流れている。第１調湿モジュール（85）では、液体吸収剤に含まれる水の一部が水蒸気となって透湿膜（26）を透過し、第１空気通路（78）を流れる給気に付与される。第１空気通路（78）を通過する間に加湿された給気は、その後に第１室内口（74）から室内へ供給される。このように、第１調湿モジュール（85）では、吸収剤通路（27）の液体吸収剤に含まれる水の一部が、透湿膜（26）を透過して給気に付与される。従って、第１調湿モジュール（85）では、吸収剤通路（27）を通過する間に液体吸収剤の濃度が次第に上昇してゆく。第１調湿モジュール（85）の上ヘッダ（112）から流出した高濃度の液体吸収剤は、ポンプ（11）へ吸い込まれ、第２調湿モジュール（86）へ向けて送り出される。
【０１０１】
図１６（Ｂ）は、第２ユニット（82）で加湿動作を行う一方、第１ユニット（81）で除湿動作を行う第２加湿動作の状態を示している。尚、この第２加湿動作は、本発明に係る第２加湿動作を構成している。図１６（Ｂ）に係る除湿運転では、各ファン（72,73）が逆回転し、切換制御部（87）によって第１可動板（91a）に第１カム（95）の外周部（97）が接触し、第２可動板（91b）に第２カム（96）の小径部（98）が接触する。こうすることで、第２温調モジュール（84）の熱歪材料に対して第２可動板（91b）の荷重がかかり、引張力が付与される。一方、第１温調モジュール（83）の熱歪材料は、第１可動板（91a）の荷重が第１カム（95）に支えられ、引張力が解除されている。
【０１０２】
また、除湿運転時には、吸収剤回路（10）のポンプ（11）が運転され、吸収剤回路（10）内を液体吸収剤が循環する。ポンプ（11）から吐出された液体吸収剤は、第２調湿モジュール（86）の下ヘッダ（113）の吸収剤空間（114）へ流入する。そして、下ヘッダ（113）を流れる液体吸収剤は、各吸収剤通路（27）へ流入する。この吸収剤通路（27）へ流入した液体吸収剤は、熱歪材料によって加熱される。第２空気通路（79）では、給気（即ち、室内へ供給される室外空気）が流れている。第２調湿モジュール（86）では、液体吸収剤に含まれる水の一部が水蒸気となって透湿膜（26）を透過し、第２空気通路（79）を流れる給気に付与される。給気に付与された水蒸気は、給気と共に第２室内口（75）から室内へ供給される。このように、第２調湿モジュール（86）では、吸収剤通路（27）の液体吸収剤に含まれる水の一部が、透湿膜（26）を透過して給気に付与される。従って、第２調湿モジュール（86）では、吸収剤通路（27）を通過する間に液体吸収剤の濃度が次第に上昇してゆく。
【０１０３】
第２調湿モジュール（86）の上ヘッダ（112）から流出した高濃度の液体吸収剤は、第１調湿モジュール（85）の下ヘッダ（113）の吸収剤空間（114）へ流入する。そして、下ヘッダ（113）を流れる液体吸収剤は、各吸収剤通路（27）へ流入する。この吸収剤通路（27）へ流入した液体吸収剤は、熱歪材料によって冷却される。第１空気通路（78）では、排気（即ち、室外へ排出される室内空気）が流れている。第１調湿モジュール（85）では、排気に含まれる水蒸気が透湿膜（26）を透過し、吸収剤通路（27）を流れる液体吸収剤に吸収される。第１空気通路（78）を通過する間に除湿された排気は、その後に第１室外口（76）から室外へ排出される。このように、第１調湿モジュール（85）では、第１空気通路（78）の給気に含まれる水蒸気の一部が、透湿膜（26）を透過して液体吸収剤に吸収される。従って、第１調湿モジュール（85）では、吸収剤通路（27）を通過する間に液体吸収剤の濃度が次第に低下してゆく。第１調湿モジュール（85）の上ヘッダ（112）から流出した低濃度の液体吸収剤は、ポンプ（11）へ吸い込まれ、第２調湿モジュール（86）へ向けて送り出される。
【０１０４】
−実施形態２の効果−
上記実施形態２によれば、第１可動板（91a）と第２可動板（91b）の位置を切り換えるようにしたため、熱歪材料への引張力の付与と解除とを切り換えることができる。
【０１０５】
また、吸収剤通路（27）に熱歪材料が配置されて液体吸収剤に囲まれるため、熱歪材料の熱は、ほぼ全てが吸収剤通路（27）の液体吸収剤に付与される。また、熱歪材料が吸収する熱は、ほぼ全てが吸収剤通路（27）の液体吸収剤から吸収した熱となる。従って、実施形態２によれば、熱歪材料の温熱を無駄なく液体吸収剤の加熱に利用でき、熱歪材料の冷熱を無駄なく液体吸収剤の冷却に利用できる。
【０１０６】
また、除湿運転時において第１除湿動作と第２除湿動作とを切り換えて行うようにしたため、吸湿動作を連続して行うことができる。また、加湿運転時において第１加湿動作と第２加湿動作とを切り換えて行うようにしたため、放湿動作を連続して行うことができる。その他の構成、作用・効果は実施形態１と同様である。
【０１０７】
−実施形態２の変形例−
（変形例１）
次に、実施形態２の変形例１について説明する。本変形例１は、上記実施形態２とは、アクチュエータ（39）の構成が異なっている。尚、切換制御部（87）の図示は省略している。
【０１０８】
具体的には、図２６に示すように、本変形例１に係る第１および第２カム（95,96）は、第１および第２可動板（91a,91b）の長手方向に向かって延び、同軸上に配置されている。そして、第１および第２カム（95,96）には、一の回転軸（99）が挿通されている。第１および第２カム（95,96）は、互いに１８０°位相をずらして回転軸（99）に取り付けられている。切換制御部（87）によって、回転軸（99）が回転することで、第１および第２カム（95,96）が共に回転するように構成されている。その他の構成、作用・効果は実施形態２と同様である。
【０１０９】
（変形例２）
次に、実施形態２の変形例２について説明する。本変形例２は、上記実施形態２とは、アクチュエータ（39）の構成が異なっている。尚、切換制御部（87）の図示は省略している。
【０１１０】
具体的には、図２７に示すように、本変形例２に係るアクチュエータ（39）は、上記実施形態２に係るアクチュエータ（39）のように、所定の重量を有する第１および第２可動板（91a,91b）を備えておらず、代わりに第１および第２可動ハウジング（100a,100b）を有している。この第１可動ハウジング（100a）は、第１温調モジュール（83）に対応して設けられ、第２可動ハウジング（100b）は、第２温調モジュール（84）に対応して設けられている。
【０１１１】
第１および第２可動ハウジング（100a,100b）は、それぞれ側面が開口した直方体状の箱体に形成され、上面壁が左右に突出して形成されている。第１および第２可動ハウジング（100a,100b）の上面壁には、熱歪材料の他端が取り付けられている。第１可動ハウジング（100a）の内部には、第１カム（95）と回転軸（99）とが配置され、第２可動ハウジング（100b）の内部には、第２カム（96）と回転軸（99）とが配置されている。第１および第２カム（95,96）は、切換制御部（87）によって、左右で１８０°位相がずれるようになっている。すなわち、図２７に示すように、第１可動ハウジング（100a）の内面下部に第１カム（95）の小径部（98）が接触すると、第２可動ハウジング（100b）の内面下部に第２カム（96）の外周部（97）が接触するように構成されている。こうすることで、第２可動ハウジング（100b）が、第２カム（96）の外周部（97）によって下方に引っ張られ、第２温調モジュール（84）の熱歪材料が下方に引っ張られる。
【０１１２】
そして、各回転軸（99,99）が回転すると、位相が１８０°ずれ、第２可動ハウジング（100b）の内面下部に第２カム（96）の小径部（98）が接触し、第１可動ハウジング（100a）の内面下部に第１カム（95）の外周部（97）が接触する。こうすることで、第１可動ハウジング（100a）が、第１カム（95）の外周部（97）によって下方に引っ張られ、第１温調モジュール（83）の熱歪材料が下方に引っ張られる。その他の構成、作用・効果は実施形態２と同様である。
【０１１３】
（変形例３）
次に、実施形態２の変形例３について説明する。本変形例３は、上記変形例１とは、アクチュエータ（39）の構成が異なっている。尚、切換制御部（87）の図示は省略している。
【０１１４】
具体的には、図２８に示すように、本変形例３に係る第１および第２カム（95,96）は、第１および第２可動ハウジング（100a,100b）の長手方向に向かって延び、同軸上に配置されている。そして、第１および第２カム（95,96）には、一の回転軸（99）が挿通されている。第１および第２カム（95,96）は、切換制御部（87）によって、互いに１８０°位相をずらして回転軸（99）に取り付けられている。この回転軸（99）が回転することで、第１および第２カム（95,96）が共に回転するように構成されている。その他の構成、作用・効果は実施形態２の変形例１と同様である。
【０１１５】
（変形例４）
次に、実施形態２の変形例４について説明する。本変形例４は、上記変形例３とは、アクチュエータ（39）の構成が異なっている。尚、切換制御部（87）の図示は省略している。
【０１１６】
具体的には、図２９に示すように、本変形例４に係る温調モジュール（83,84）は、熱歪材料と、第１および第２固定板（90a,90b）と、可動ハウジング（100）と、カム（95）と、回転軸（99）とを備えている。
【０１１７】
上記第１および第２固定板（90a,90b）は、それぞれが略長方形状の薄板に形成されている。第１固定板（90a）は、第１温調モジュール（83）に対応して右端寄りに縦配置され、第２固定板（90b）は、第２温調モジュール（84）に対応して左端寄りに縦配置されている。第１固定板（90a）の左端面には、第１温調モジュール（83）の熱歪材料の一端が接続され、第２固定板（90b）の右端面には、第２温調モジュール（84）の熱歪材料の一端が接続されている。
【０１１８】
上記可動ハウジング（100）は、第１および第２固定板（90a,90b）の間に設けられるものである。可動ハウジング（100）は、第１および第２可動板（91a,91b）と、２枚の連結板（107,107）とを備えている。
【０１１９】
第１および第２可動板（91a,91b）は、それぞれが略矩形状の薄板に形成されている。第１可動板（91a）は、第１固定板（90a）と対向するように縦配置され、第２可動板（91b）は、第２固定板（90b）と対向するように縦配置されている。第１可動板（91a）は、第１温調モジュール（83）の熱歪材料の他端に取り付けられ、第２可動板（91b）は、第２温調モジュール（84）の熱歪材料の他端にそれぞれ取り付けられている。そして、第１固定板（90a）と第１可動板（91a）との間は、第１空気通路（78）に連通する空気通路（P）に形成され、第２固定板（90b）と第２可動板（91b）との間は、第２空気通路（79）に連通する空気通路（P）に形成されている。
【０１２０】
上記各連結板（107,107）は、略矩形の薄板状に形成され、第１および第２可動板（91a,91b）の間に、高さ方向に所定の間隔を有して配置されている。つまり、第１および第２可動板（91a,91b）、および連結板（107,107）は、一体として移動するように構成されている。
【０１２１】
上記可動ハウジング（100）の内部には、カム（95）と回転軸（99）とが配置されている。上記カム（95）は、第１および第２可動板（91a,91b）の幅方向（図２９の奥行き方向）に延びる略円筒形状に形成された部材である。カム（95）には、円形の外周部（97）と、該外周部（97）の半円部分が切り欠かれて形成される小径部（98）とが形成されている。また、回転軸（99）は、カム（95）の中心に挿通され、該カム（95）をその周方向に回転可能となるように取り付けられている。すなわち、カム（95）が回転することで、第１可動板（91a）に対して、カム（95）の外周部（97）が接触した場合、可動ハウジング（100）が右方向に移動し、第２可動板（91b）が右方向に引っ張られ、第２温調モジュール（84）の熱歪材料が右方向に引っ張られる。
【０１２２】
逆に、カム（95）が回転することで、第２可動板（91b）に対して、カム（95）の外周部（97）が接触した場合、可動ハウジング（100）が左方向に移動し、第１可動板（91a）が左方向に引っ張られ、第１温調モジュール（83）の熱歪材料が左方向に引っ張られる。その他の構成、作用・効果は実施形態２の変形例３と同様である。
【０１２３】
（変形例５）
次に、実施形態２の変形例５について説明する。本変形例５は、図３０に示すように、上記実施形態２とは、アクチュエータ（39）の構成が異なっている。尚、切換制御部（87）の図示は省略している。
【０１２４】
具体的には、本変形例５に係るアクチュエータ（39）は、第１および第２アーム（101,102）と、回転軸（99）と、ステッピングモータ（図示なし）とを備えているものである。
【０１２５】
上記回転軸（99）は、その軸方向が可動板（91a,91b）の幅方向（図３０の奥行き方向）に延びる回転軸である。回転軸（99）は、仕切板（92）の下方に配置されている。回転軸（99）には、第１および第２アーム（101,102）が取り付けられている。この回転軸（99）は、ステッピングモータに接続され、該ステッピングモータによって周方向に自在に回転可能に構成されている。
【０１２６】
上記第１および第２アーム（101,102）は、細長い板状部材に形成され、回転軸（99）に対して取り付けられている。第１アーム（101）の先端には、第１可動板（91a）に接触させる第１支持部（101a）が形成され、第２アーム（102）の先端には、第２可動板（91b）に接触させる第２支持部（102a）が形成されている。第１アーム（101）は、その基端が回転軸（99）に取り付けられ、その先端が第１可動板（91a）に向かって延びている。また、第２アーム（102）は、その基端が回転軸（99）に取り付けられ、その先端が第２可動板（91b）に向かって延びている。
【０１２７】
そして、図３０に示すように、回転軸（99）が反時計回りに回転した場合、回転に伴って第１アーム（101）の先端の第１支持部（101a）が上昇し、反対に第２アーム（102）の先端の第２支持部（102a）が下降する。このとき、第１アーム（101）の第１支持部（101a）が下方から第１可動板（91a）を押し上げることで、第１温調モジュール（83）の熱歪材料に第１可動板（91a）の重みが、かからなくなって引張力が解除され、反対に、第２温調モジュール（84）の熱歪材料へ第２可動板（91b）の重みがかかり、引張力が付与される。
【０１２８】
逆に、図３０に示すように、回転軸（99）が時計回りに回転した場合、第１アーム（101）の第１支持部（101a）が下降して第１可動板（91a）から離れることで、第１温調モジュール（83）に第１可動板（91a）の重みがかかる。このため、第１温調モジュール（83）の熱歪材料へ引張力が付与される。
【０１２９】
尚、本変形例５では、ステッピングモータの１ステップあたりの回転角を調整することで、各可動板（91a,91b）の位置を調整するようにしてもよい。こうすることで、熱歪材料へ付与される引張力を調整して発熱量を調整することができる。その他の構成、作用・効果は実施形態２と同様である。
【０１３０】
（変形例６）
次に、実施形態２の変形例６について説明する。本変形例６は、上記変形例２および５とは、アクチュエータ（39）の構成が異なっている。
【０１３１】
具体的には、図３１に示すように、本変形例６に係るアクチュエータ（39）は、第１および第２可動ハウジング（100a,100b）と、第１および第２アーム（101,102）と回転軸（99）とを備えている。第１アーム（101）は、第１可動ハウジング（100a）に対して取り付けられ、第２アーム（102）は、第２可動ハウジング（100b）に対して取り付けられている。このため、第１アーム（101）の第１支持部（101a）の上昇に伴って第１可動ハウジング（100a）が上昇する一方、第２アーム（102）の第２支持部（102a）の下降に伴って第２可動ハウジング（100b）が下降するように構成されている。その他の構成、作用・効果は、上記実施形態２の変形例２と同様である。
【０１３２】
（変形例７）
次に、実施形態２の変形例７について説明する。本変形例７は、上記実施形態２とは、アクチュエータ（39）と切換制御部（87）の構成が異なっている。
【０１３３】
具体的には、図３２に示すように、本変形例７に係るアクチュエータ（39）は、固定板（90）と、第１および第２可動板（105,106）と、第１および第２電磁石（103,104）とを備えている。
【０１３４】
上記固定板（90）は、第１温調モジュール（83）および第２温調モジュール（84）の下方に配置されている。第１可動板（105）は、第１温調モジュール（83）の上方に配置され、第２可動板（106）は、第２温調モジュール（84）の上方側に配置されている。固定板（90）と第１可動板（105）とは、互いに対向して配置され、固定板（90）と第２可動板（106）とは互いに対向して配置されている。この第１および第２可動板（105,106）は、それぞれ磁石又は鉄などの磁性金属によって構成されている。第１電磁石（103）は、第１可動板（105）の近傍で、且つ対向するように配置され、第２電磁石（104）は、第２可動板（106）の近傍で、且つ対向するように配置されている。第１および第２電磁石（103,104）は、共に切換制御部（87）に接続され、切換制御部（87）によって通電が切換制御されている。
【０１３５】
上記切換制御部（87）は、第１および第２電磁石（103,104）に対して付与する通電を制御するものである。すなわち、第１温調モジュール（83）に対して引張力を付与する場合、第１電磁石（103）の極性を対向する第１可動板（105）の磁性と逆極性にすることで、第１温調モジュール（83）の熱歪材料に引張力を付与する。このとき、第２電磁石（104）への通電を停止することで、第２温調モジュール（84）の熱歪材料への引張力を解除する。
【０１３６】
一方、第２温調モジュール（84）に対して引張力を付与する場合、第２電磁石（104）の極性を対向する第２可動板（106）の磁性と逆極性にすることで、第２温調モジュール（84）の熱歪材料に引張力を付与する。このとき、第１電磁石（103）への通電を停止することで、第１温調モジュール（83）の熱歪材料への引張力を解除する。その他の構成、作用・効果は、上記実施形態２と同様である。
【０１３７】
（変形例８）
次に、実施形態２の変形例８について説明する。本変形例８は、上記実施形態２の変形例７とは、アクチュエータ（39）の構成が異なっている。本変形例８では、上記変形例７と異なる部分についてのみ説明する。
【０１３８】
具体的には、図３３に示すように、本変形例８に係るアクチュエータ（39）では、固定板（90）が第１および第２温調モジュール（83,84）の上方に配置されている。第１および第２可動板（105,106）は、第１および第２温調モジュール（83,84）の下方に固定板（90）と対向して配置され、これらの第１および第２可動板（105,106）と対向するように第１および第２電磁石（103,104）が配置されている。
【０１３９】
上記第１および第２可動板（105,106）は、磁石又は鉄などの磁性金属によって構成されると共に、所定の重量を有している。
【０１４０】
第１温調モジュール（83）に対して引張力を付与する場合、第１電磁石（103）への通電を停止することで、第１可動板（105）の重量によって第１温調モジュール（83）の熱歪材料に引張力を付与する。このとき、第２電磁石（104）の極性を対向する第２可動板（106）の磁性と同極として、第２温調モジュール（84）の熱歪材料への引張力を解除する。
【０１４１】
一方、第２温調モジュール（84）に対して引張力を付与する場合、第２電磁石（104）への通電を停止することで、第２可動板（106）の重量によって第２温調モジュール（84）の熱歪材料に引張力を付与する。このとき、第１電磁石（103）の極性を対向する第１可動板（105）の磁性と同極として、第１温調モジュール（83）の熱歪材料への引張力を解除する。
【０１４２】
尚、本変形例８では、第１および第２可動板（105,106）は、所定の重量を有するようにしていたが、第１および第２可動板（105,106）を、磁石又は鉄などの磁性金属によって構成され、且つ比較的軽量な部材で構成するようにしてもよい。
【０１４３】
この場合、第１温調モジュール（83）に対して引張力を付与する際、第１電磁石（103）の磁性を第１可動板（105）の極性と逆極性にして第１温調モジュール（83）の熱歪材料に引張力を付与する。このとき、第２電磁石（104）への通電を停止することで、第２温調モジュール（84）の熱歪材料への引張力を解除する。
【０１４４】
一方、第２温調モジュール（84）に対して引張力を付与する際、第２電磁石（104）の磁性を第２可動板（106）の極性と逆極性にして第２温調モジュール（84）の熱歪材料に引張力を付与する。このとき、第１電磁石（103）への通電を停止することで、第１温調モジュール（83）の熱歪材料への引張力を解除する。その他の構成、作用・効果は、上記実施形態２の変形例７と同様である。
【０１４５】
（変形例９）
次に、実施形態２の変形例９について説明する。本変形例９は、上記実施形態２の変形例７とは、アクチュエータ（39）の構成が異なっている。本変形例８では、上記変形例７と異なる部分についてのみ説明する。
【０１４６】
具体的には、図３４に示すように、本変形例４に係るアクチュエータ（39）は、熱歪材料と、第１および第２可動板（105,106）と、第１および第２電磁石（103,104）と、仕切板（92）と、を備えている。
【０１４７】
上記第１および第２可動板（105,106）は、それぞれが略長方形状の薄板に形成されている。第１可動板（105）は、第１ユニット（81）の右端寄りに縦配置され、第２可動板（106）は、第２ユニット（82）の左端寄りに縦配置されている。第１可動板（105）の左端面には、第１温調モジュール（83）の熱歪材料の一端が接続され、第２可動板（106）の右端面には、第２温調モジュール（84）の熱歪材料の一端が接続されている。
【０１４８】
上記仕切板（92）は、第１温調モジュール（83）と第２温調モジュール（84）との間に、第１および第２可動板（105,106）と対向するように配置されるものである。仕切板（92）には、第１温調モジュール（83）および第２温調モジュール（84）のそれぞれの熱歪材料の他端が接続されている。その他の構成、作用・効果は、上記実施形態２の変形例７と同様である。
【０１４９】
〈発明の実施形態３〉
本発明の実施形態３について説明する。本実施形態３の第１および第２ユニット（81,82）は、実施形態２のものとは異なる構造を有している。ここでは、本実施形態３の第１および第２ユニット（81,82）について、図３５〜図３８を参照しながら説明する。
【０１５０】
図３５に示すように、本実施形態３の第１および第２ユニット（81,82）は、調湿モジュール（28）を構成する第１調湿モジュール（85）および第２調湿モジュール（86）と、温調モジュール（83,84）とを備えている。
【０１５１】
上記各調湿モジュール（85,86）は、複数の膜ユニット（122）と、一対の吸収剤側ヘッダ（123）とを備えている。また、各温調モジュール（83,84）は、熱源素子（32）と、固定板（124）、可動板（125）とを備えている。
【０１５２】
上記各膜ユニット（122）は、扁平な矩形状の箱体に形成される仕切り部材（14）を備えている。複数の膜ユニット（122）は、それぞれの側面が互いに対面する姿勢で一定の間隔をおいて左右方向に配列されている。そして、本実施形態３の調湿モジュール（85,86）では、隣接する膜ユニット（122）の間の空間が空気通路（P）となっている。
【０１５３】
上記仕切り部材（14）は、図３５〜図３７に示すように、少なくとも左右の側面が透湿膜（26）によって構成されている。仕切り部材（14）には、上記熱源素子（32）を構成する多数の熱歪材料が収容されている。膜ユニット（122）では、仕切り部材（14）の内側の空間が吸収剤通路（27）となっており、この吸収剤通路（27）に熱歪材料が配置されている。
【０１５４】
本実施形態３の第１および第２ユニット（81,82）では、その上端部に一の吸収剤側ヘッダ（123）と固定板（124）とが並んで配置され、その下端部に一の吸収剤側ヘッダ（123）と可動板（125）とが並んで配置されている。各吸収剤側ヘッダ（123）は、各膜ユニット（122）の仕切り部材（14）に接合されており、その内部空間が各膜ユニット（122）の吸収剤通路（27）と連通している。上記固定板（124）は、各膜ユニット（122）の熱歪材料の上端に接合され、可動板（125）は、各膜ユニット（122）の熱歪材料の下端に接合されている。その他の構成、作用・効果は実施形態２と同様である。
【０１５５】
〈その他の実施形態〉
本発明は、上記実施形態２について、以下のような構成としてもよい。
【０１５６】
上記実施形態２では、一本の熱歪材料および仕切り部材（14）（透湿膜（26））とで一本の膜管（29）が形成されるようにしたが、本発明の構成はこれに限られず、複数本の熱歪材料と一本の仕切り部材（14）（透湿膜（26））とで一本の膜管（29）を構成するようにしてもよい。
【０１５７】
尚、以上の実施形態は、本質的に好ましい例示であって、本発明、その適用物、あるいはその用途の範囲を制限することを意図するものではない。
【産業上の利用可能性】
【０１５８】
以上説明したように、本発明は、液体吸収剤を用いて空気を調湿する調湿装置について有用である。
【符号の説明】
【０１５９】
１４          仕切り部材
２０          給気側モジュール
２１          排気側モジュール
２６          透湿膜
２８          調湿モジュール
３０          温調モジュール
３２          熱源素子
３３          ベルト搬送装置
３８          フィン
４５          ロータ装置
５０          回転装置
８３          第１調湿モジュール
８４          第２調湿モジュール
８５          第１温調モジュール
８６          第２温調モジュール
９１ａ        第１可動板
９１ｂ        第２可動板
１００        可動ハウジング
【図１】
2014119237.tif 000003
【図２】
2014119237.tif 000004
【図３】
2014119237.tif 000005
【図４】
2014119237.tif 000006
【図５】
2014119237.tif 000007
【図６】
2014119237.tif 000008
【図７】
2014119237.tif 000009
【図８】
2014119237.tif 000010
【図９】
2014119237.tif 000011
【図１０】
2014119237.tif 000012
【図１１】
2014119237.tif 000013
【図１２】
2014119237.tif 000014
【図１３】
2014119237.tif 000015
【図１４】
2014119237.tif 000016
【図１５】
2014119237.tif 000017
【図１６】
2014119237.tif 000018
【図１７】
2014119237.tif 000019
【図１８】
2014119237.tif 000020
【図１９】
2014119237.tif 000021
【図２０】
2014119237.tif 000022
【図２１】
2014119237.tif 000023
【図２２】
2014119237.tif 000024
【図２３】
2014119237.tif 000025
【図２４】
2014119237.tif 000026
【図２５】
2014119237.tif 000027
【図２６】
2014119237.tif 000028
【図２７】
2014119237.tif 000029
【図２８】
2014119237.tif 000030
【図２９】
2014119237.tif 000031
【図３０】
2014119237.tif 000032
【図３１】
2014119237.tif 000033
【図３２】
2014119237.tif 000034
【図３３】
2014119237.tif 000035
【図３４】
2014119237.tif 000036
【図３５】
2014119237.tif 000037
【図３６】
2014119237.tif 000038
【図３７】
2014119237.tif 000039
【図３８】
2014119237.tif 000040